(57)【要約】【課題】本発明は、過去にやり取りされたメール情報のうち、特定のメール情報を一時的に取り出して、それらのメール情報に対して特定の処理を行うことができる携帯端末を提供する。【解決手段】受信したメールのメール情報を記憶する記憶手段と、記憶された各々のメール情報を表示する第１の表示手段と、メール群を生成するための指示を受け付ける第１の受付手段（Ｓ１０１）と、指示が受け付けられた場合、記憶された各々のメール情報をメール相手毎に括ってメール群を生成する生成手段（Ｓ１０７、Ｓ１０９）と、を備え、第１の表示手段は、指示が受け付けられた場合、生成された各々のメール群を表示する（Ｓ１１１）。【選択図】  図３
2010176395.tif 000002
【特許請求の範囲】
【請求項１】
受信したメールのメール情報を記憶する記憶手段と、
前記記憶手段により記憶された各々のメール情報を表示する第１の表示手段と、
メール群を生成するための指示を受け付ける第１の受付手段と、
前記第１の受付手段により指示が受け付けられた場合、前記記憶手段により記憶された各々のメール情報をメール相手毎に括ってメール群を生成する生成手段と、を備え、
前記第１の表示手段は、前記第１の受付手段により指示が受け付けられた場合、前記生成手段により生成された各々のメール群を表示することを特徴とする携帯端末。
【請求項２】
前記第１の表示手段により表示されたメール群のうちのいずれかのメール群が選択された場合、このメール群に括られた各々のメール情報を表示する第２の表示手段と、
を備えたことを特徴とする請求項１記載の携帯端末。
【請求項３】
メール件数の入力を受け付ける第２の受付手段を備え、
前記生成手段は、前記第２の受付手段により入力が受け付けられた場合、前記記憶手段により、前記受付手段により受け付けられたメール件数以上の件数のメール情報が記憶されているメール相手のみに関して、メール群を生成することを特徴とする請求項１記載の携帯端末。
【請求項４】
前記第１の表示手段は、各々のメール群を、メール件数の多い順に並べて表示することを特徴とする請求項１記載の携帯端末。
【請求項５】
前記第１の表示手段により表示されたメール群のうちのいずれかに対する処理の指示を受け付ける第３の受付手段と、
前記第３の受付手段により指示が受け付けられた場合、このメール群に括られた全てのメール情報に対して、受け付けられた指示を実行する実行手段と、
を備えたことを特徴とする請求項１記載の携帯端末。
【請求項６】
前記記憶手段に記憶されたメール情報のうちのいずれかのメール情報を表示する第２の表示手段と、
前記第２の表示手段により表示されたメール情報に基づいて、メール群を生成するための指示を受け付ける第４の受付手段と、を備え、
前記生成手段は、前記第４の受付手段により指示が受け付けられた場合、前記第２の表示手段により表示されたメール情報のメール相手と過去にやり取りされたメールのメール情報を括ってメール群を生成し、
前記第１の表示手段は、前記生成手段により生成されたメール群に括られたメール情報を表示することを特徴とする請求項１記載の携帯端末。
【請求項７】
前記生成手段により生成されたメール群を解除するための指示を受け付ける第５の受付手段と、
前記第５の受付手段により指示が受け付けられた場合、前記生成手段により生成されたメール群を解除する解除手段と、を備え、
前記第１の表示手段は、前記解除手段によりメール群が解除された場合、前記記憶手段により記憶された各々のメール情報を表示することを特徴とする請求項１記載の携帯端末。
【請求項８】
前記生成手段により生成されたメール群を登録するための指示を受け付ける第６の受付手段を備え、
前記記憶手段は、前記第６の受付手段により指示が受け付けられた場合、前記生成手段により生成されたメール群を記憶し、
前記第１の表示手段は、前記記憶手段により記憶された各々のメール情報を表示する際、メール群を併せて表示することを特徴とする請求項１記載の携帯端末。
【発明の詳細な説明】
【技術分野】
【０００１】
本発明は、過去にやり取りされたメールのメール情報を提示する際、メール相手毎にメール情報を括ってメール群を生成して、それらのメール群を提示することができる携帯端末に関する。
【背景技術】
【０００２】
近年、携帯電話機等の携帯端末が一般家庭に普及するのに伴い、携帯端末を用いたメール送受信が日常的に行われるようになってきた。このように携帯端末でメールの送受信が頻繁に行われると、送受信された多くのメールのメール情報が予め決められた階層（例えばメインフォルダ）に記憶されるため、ユーザにとって、記憶されたメール情報の識別が困難になっていた。特に、ユーザが特定のメールを閲覧したい場合などに、ユーザが所望のメール情報を見つけ出すのが困難であった。
【０００３】
そこで、送受信メールが自動的に整理されて送受信メールの参照が容易になる電子メール管理装置が提案されている（特許文献１参照）。この電子メール管理装置は、ユーザが受信メールを移動させた際に送信元アドレスと移動先フォルダを記憶し、受信メールの送信元アドレスに対応する移動先フォルダを取得し、移動先フォルダ情報として受信メールとともに出力し、移動先フォルダ情報で指定されたフォルダに受信メールを保存するものである。
【先行技術文献】
【特許文献】
【０００４】
【特許文献１】特開２０００−２８５０４０号公報
【発明の概要】
【発明が解決しようとする課題】
【０００５】
ユーザが、携帯端末で送受信された多数のメールのメール情報のうち、特定のメール情報のみに対して特定の処理を行いたい場合がある。例えば、ユーザが不要なメール情報（メールマガジンなど）を、一件ずつではなく一括で削除したい場合などである。ところが、不要なメール情報を一括で削除するためには、受信メールがまとめて記憶される階層（例えばメインフォルダ）から不要なメール情報のみを取り出して、特定の階層（フォルダ）に振り分ける必要がある。しかし、ユーザにとってメールの振り分けを行うことは面倒であるため、携帯端末において、一時的に特定のメール情報のみを取り出して、特定のメール情報のみに対して特定の処理を行える機能が望まれている。
【０００６】
本発明は、上記課題を鑑みてなされたものであり、過去にやり取りされたメール情報のうち、特定のメール情報を一時的に取り出して、それらのメール情報に対して特定の処理を行うことができる携帯端末を提供することを目的とする。
【課題を解決するための手段】
【０００７】
上記課題を解決するために、本発明に係る携帯端末は、受信したメールのメール情報を記憶する記憶手段と、前記記憶手段により記憶された各々のメール情報を表示する第１の表示手段と、メール群を生成するための指示を受け付ける第１の受付手段と、前記第１の受付手段により指示が受け付けられた場合、前記記憶手段により記憶された各々のメール情報をメール相手毎に括ってメール群を生成する生成手段と、を備え、前記第１の表示手段は、前記第１の受付手段により指示が受け付けられた場合、前記生成手段により生成された各々のメール群を表示することを特徴とする。
【発明の効果】
【０００８】
本発明に係る携帯端末によると、過去にやり取りされたメール情報のうち、特定のメール情報を一時的に取り出して、それらのメール情報に対して特定の処理を行うことが可能となる。
【図面の簡単な説明】
【０００９】
【図１】（Ａ）は、本発明に係る携帯端末（携帯電話機）の閉じた状態を示す斜視図、（Ｂ）は、本発明に係る携帯端末（携帯電話機）の開いた状態を示す斜視図。
【図２】本発明に係る携帯端末（携帯電話機）の機能を示すブロック図。
【図３】本発明に係る携帯端末（携帯電話機）がメール一時振り分け処理を行う際の手順を示すフローチャート。
【図４】メール件数情報を示すデータ構成図。
【図５】（Ａ）乃至（Ｉ）は、本発明にかかる携帯端末（携帯電話機）がメール一時振り分け処理を行う際の手順を示す画面遷移図。
【図６】本発明に係る携帯端末（携帯電話機）がメール一時振り分け処理を行う際の手順を示すフローチャート。
【図７】（Ａ）乃至（Ｄ）は、本発明に係る携帯端末（携帯電話機）がメール一時振り分け処理を行う際の手順を示す画面遷移図。
【図８】本発明に係る携帯端末（携帯電話機）がメール一時振り分け処理を行う際の手順を示すフローチャート。
【図９】（Ａ）乃至（Ｈ）は、本発明に係る携帯端末（携帯電話機）がメール一時振り分け処理を行う際の手順を示す画面遷移図。
【図１０】本発明に係る携帯端末（携帯電話機）がメール一時振り分け登録処理を行う際の手順を示すフローチャート。
【図１１】（Ａ）乃至（Ｆ）は、本発明に係る携帯端末（携帯電話機）がメール一時振り分け登録処理を行う際の手順を示す画面遷移図。
【発明を実施するための形態】
【００１０】
本発明に係る携帯端末の実施形態について、添付図面を参照しながら説明する。本発明に係る携帯端末として、複数の筐体が相互にスライド自在に結合されてなる開閉自在の携帯電話機１を例に挙げて説明する。
【００１１】
図１（Ａ）は、携帯電話機１の閉じた状態を示す斜視図、図１（Ｂ）は、携帯電話機１の開いた状態を示す斜視図である。携帯電話機１は、図１（Ａ）及び図１（Ｂ）に示すように、矩形の板状の上筐体１０と、この上筐体１０とほぼ同形状をした下筐体１１とが、閉じた状態で、相互に一面を覆うように積層されることにより形成されている。これらの上筐体１０及び下筐体１１は、相互に所定方向（例えば図１に示すＸ方向）に所定長さだけスライド可能なように結合されている。携帯電話機１は、上筐体１０が下筐体１１に対してスライドすることにより、閉じた状態から開いた状態に、あるいは開いた状態から閉じた状態に変形する。
【００１２】
上筐体１０の外面（下筐体１１に対面しない側の面）には、データを表示するためのディスプレイ１２、音声を出力するためのスピーカ１３、押下されることにより指示を入力する複数の操作キー１４が設けられている。操作キー１４は、例えば、ディスプレイ１２に表示されたカーソルを上下左右に移動させたり画面をスクロールさせたりするための方向キーや、メール機能やＷｅｂ機能を起動するためのショートカットキーである。これらのディスプレイ１２、スピーカ１３、及び操作キー１４は、携帯電話機１が閉じた状態であっても開いた状態であっても外部に露出するように設けられている。よって、携帯電話機１が閉じた状態であっても開いた状態であっても、ユーザはディスプレイ１２の画面を視認したり操作キー１４を介して携帯電話機１に指示を入力したりすることができる。
【００１３】
下筐体１１の内面（上筐体１０に対面する側の面）には、押下されることにより指示を入力する複数の操作キー１５、音声を集音するためのマイクロフォン１６が設けられている。操作キー１５は、例えば携帯電話機１の電源のＯＮ／ＯＦＦ状態を切り替える電源キー、文字列を入力するためのテンキーなどである。これらの操作キー１５、マイクロフォン１６は、携帯電話機１が閉じた状態のときには、上筐体１０により覆われていて外部に露出していないが、上筐体１０を下筐体１１に対してスライドさせて開いた状態に変形させたときには、外部に露出される。よって、携帯電話機１が開いた状態のときには、ユーザは操作キー１５を介して指示を入力することができるが、携帯電話機１が閉じた状態のときには、ユーザは操作キー１５を介して指示を入力することができない。
【００１４】
下筐体１１の側面には、押下されることにより指示を入力する複数のサイドキー１７が設けられている。これらのサイドキー１７は、携帯電話機１が閉じた状態であっても開いた状態であっても外部に露出するように設けられている。よって、携帯電話機１が閉じた状態であっても開いた状態であっても、ユーザはサイドキー１７を介して指示を入力することができる。
【００１５】
次に、携帯電話機１の機能について、図２に示すブロック図を用いて説明する。携帯電話機１は、図２に示すように、主制御部２０、電源回路部２１、操作入力制御部２２、表示制御部２３、音声制御部２４、通信制御部２５、及び記憶部２６がバスによって相互に通信可能に接続されて構成されている。
【００１６】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述するメール一時振り分け処理、その他の様々な演算処理や制御処理等を行う。電源回路部２１は、電源供給源（バッテリ等）を備え、所定の操作キー１５（例えば電源キー）を介した入力に基づいて携帯電話機１の電源のＯＮ／ＯＦＦ状態を切り替え、電源がＯＮ状態の場合に電力供給源から各部に対して電力を供給して、携帯電話機１を動作可能にする。
【００１７】
操作入力制御部２２は操作キー１４、１５、サイドキー１７に対する入力インタフェースを備え、操作キー１４、１５、サイドキー１７のいずれかが押下されたことを検知すると、その押下されたキーを示す信号を生成して主制御部２０に伝送する。信号を受信した主制御部２０は、この信号に基づいて様々な処理を行う。表示制御部２３はディスプレイ１２に対する表示インタフェースを備え、主制御部２０の制御に基づいて、文書データや画像データ等をディスプレイ１２に表示する。
【００１８】
音声制御部２４は、主制御部２０の制御に基づいて、マイクロフォン１６で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１３から音声として出力する。
【００１９】
通信制御部２５は、主制御部２０の制御に基づいて、基地局からアンテナ２５ａを介して受信した受信信号をスペクトラム逆拡散処理してデータを復元する。このデータは、主制御部２０の指示により、音声制御部２４に伝送されてスピーカ１３から出力されたり、表示制御部２３に伝送されてディスプレイ１２に表示されたり、または記憶部２６に記録されたりする。また通信制御部２５は、主制御部２０の制御に基づいて、マイクロフォン１６で集音された音声データや操作キー１４、１５を介して入力されたデータや記憶部２６に記憶されたデータを取得すると、これらのデータに対してスペクトラム拡散処理を行い、基地局に対してアンテナ２５ａを介して送信する。
【００２０】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述するメール一時振り分け処理を行う際の処理プログラムは、例えばＲＯＭに記憶されているものとする。
【００２１】
また、記憶部２６は、過去に送受信されたメールのメール情報をメール履歴情報として記憶している。メール履歴情報は、例えば、各々のメール情報に対して、メールＩＤ、メール送信日時（メール受信日時）、送信先（送信元）、件名、本文、添付ファイル等の情報がそれぞれ関連付けられた情報である。
【００２２】
携帯電話機１は、記憶部２６に記憶されたメール履歴情報において、例えばユーザが不要なメール情報（不要なメールマガジンなど）を、一件ずつではなく一括で削除したい場合などに、一時的に特定のメール情報を取り出して一時フォルダ（一時的に生成された階層）に振り分け、この一時フォルダに振り分けられたメール情報に対して特定の処理を行うメール一時振り分け機能を備えている。
【００２３】
携帯電話機１がこのメール一時振り分け処理を行う際の手順について、図３及び図６に示すフローチャート、図５及び図７に示す画面遷移図に基づいて説明する。なお、フォルダは、複数のメール情報を括ったメール群を格納するものである。以下、例えば「ステップＳ１０１」を「Ｓ１０１」のように、「ステップ」の語句を省略して説明する。
【００２４】
なお、記憶部２６は、記憶部２６に記憶されているメール履歴情報に基づいて、携帯電話機１において過去にやり取りされたメールに関して、メール相手毎の送受信メールの件数を示すメール件数情報３０を記憶している。メール件数情報３０は、図４に示すように、メール相手を示すメール相手情報３１に対して送受信されたメールの件数を示す件数情報３２がそれぞれ対応付けられた情報である。例えば図４に示すメール件数情報３０よると、メール相手のメールアドレスを示す「Ａ（ａ−ｓａｎ＠ｃｏ．ｊｐ）」のメール相手情報３１に対して「２１件」の件数情報３２が対応付けられていて、「Ｂ（ｂ−ｓａｎ＠ｎｅ．ｊｐ）」の相手情報３１に対して「３０件」の件数情報３２が、「Ｃ（ｃ−ｓａｎ＠ｃｏ．ｊｐ）」の相手情報３１に対して「５件」の件数情報３２がそれぞれ対応付けられているものとする。
【００２５】
主制御部２０は、ユーザにより操作キー１４、１５を介してメール機能の起動が指示されると、ディスプレイ１２の表示画面４０にメールメニュー画面４１を表示する。図５（Ａ）に示すように、メールメニュー画面４１には、メールを新規に作成する「新規作成」、受信メールを閲覧する「受信ボックス」、送信メールを閲覧する「送信ボックス」等のメニューが表示されている。ユーザは、受信メールを閲覧したいときに、「受信ボックス」を選択することにより表示画面４０に受信メールを表示させる。
【００２６】
例えば、ユーザにより「受信ボックス」が選択されると、主制御部２０はディスプレイ１２の表示画面４０に受信ボックス画面４２を表示させる。図５（Ｂ）に示すように、受信ボックス画面４２には、受信メールが格納されているフォルダのフォルダ名を示す「メインフォルダ」、「東芝太郎」、「東芝花子」、「メルマガ」等が表示されている。「メインフォルダ」は、フォルダに振り分けられていない全ての受信メールが格納されるフォルダであり、複数のメール相手からの受信メールが格納されている。ユーザは、所望の受信メールが格納されているフォルダを選択する。
【００２７】
例えばユーザによりフォルダ（例えば「メインフォルダ」）が選択されると、主制御部２０はディスプレイ１２の表示画面４０にメインフォルダ画面４３を表示させる。図５（Ｃ）に示すように、メインフォルダ画面４３には、メインフォルダに格納されている各々の受信メールのメール相手（またはタイトルなど）が表示されている。ユーザは、所望の受信メールを選択する。
【００２８】
例えばユーザにより受信メールが選択されると、主制御部２０はメインフォルダ画面４３の上位レイヤにサブメニュー欄４４を表示させる。図５（Ｄ）に示すように、サブメニュー欄４４には、メインフォルダに格納されている受信メールについて、メール相手毎に件数に基づいて一時的にフォルダに振り分ける「件数振り分け」などのメニュー項目が表示されている。ユーザは、メインフォルダに格納されているメールを、メール相手毎に件数に基づいて一時的にフォルダに振り分けたい場合に「件数振り分け」を選択する。
【００２９】
主制御部２０は、メールの一時振り分けが指示されたか否かを判断する（Ｓ１０１）。この際、主制御部２０は、例えばサブメニュー欄４４から「件数振り分け」が選択されたことに基づいて、メールの一時振り分けが指示されたものと判断する。メールの一時振り分けが指示されていない場合（Ｓ１０１のＮｏ）は、主制御部２０はそのまま待機する。
【００３０】
メールの一時振分が指示された場合（Ｓ１０１のＹｅｓ）は、主制御部２０は、ディスプレイ１２の表示画面４０に一時振分指定画面４５を表示させる。図５（Ｅ）に示すように、一時振り分け指定画面４５には、メインフォルダに格納されている受信メールについて、所定件数以上のやり取りがされたメール相手を抽出してメール相手毎にフォルダに振り分ける「件数指定」、全てのメール相手を抽出してメール相手毎にフォルダに振り分けて件数の多い順にフォルダを並べる「順位振り分け」などのメニュー項目が表示されている。ユーザは、これらの「件数指定」や「順位振り分け」などを選択することにより、一時振り分けの方法を指定する。
【００３１】
主制御部２０は、件数指定が指示されたか否かを判断する（Ｓ１０３）。この際、主制御部２０は、一時振分指定画面４５から「件数指定」が選択された場合に、件数指定が指示されたものと判断する。件数指定が指示された場合（Ｓ１０３のＹｅｓ）は、主制御部２０は、ディスプレイ１２の表示画面４０に件数指定画面４６を表示させる。図５（Ｆ）に示すように、件数指定画面４６には、件数を入力するための件数入力欄４６ａが表示されている。ユーザは、件数入力欄４６ａに、各々のメール相手に対してフォルダを作成するか否かを決定するためのメール件数の下限を入力する。
【００３２】
そして主制御部２０は、ユーザにより件数が指定されたか否かを判断する（Ｓ１０５）。この際、主制御部２０は、件数入力欄４６ａに数値が入力されたことに基づいて、件数が指定されたものと判断する。件数が指定されていない場合（Ｓ１０５のＮｏ）は、主制御部２０は件数が入力されるまで待機する。
【００３３】
件数が指定された場合（Ｓ１０５のＹｅｓ）は、主制御部２０は、指定された件数以上のメールがやり取りされたメール相手を抽出する（Ｓ１０７）。例えばステップＳ１０５にて「２０件」の件数が指定された場合には、メール件数情報３０において、メール相手Ａとのメール件数、メール相手Ｂとのメール件数は２０件以上であるが、メール相手Ｃとのメール件数は２０件以上ではないため、主制御部２０は、メール相手Ａ及びメール相手Ｂを抽出する。
【００３４】
主制御部２０は、ステップＳ１０７にて抽出されたメール相手とやり取りされた受信メールを、メール相手毎に一時的にフォルダに振り分ける（Ｓ１０９）。特定のメール情報が抽出されて一時フォルダに振り分けられることにより、メール群が生成される。このとき主制御部２０は、図５（Ｇ）に示すように、件数指定画面４６の上位レイヤに、処理中である旨が表示された表示欄４７を表示させることで、ユーザに対して振り分け処理を行っていることを通知する。
【００３５】
主制御部２０は、ステップＳ１０９における振り分け先のフォルダのフォルダ名を設定して、ディスプレイ１２の表示画面４０にメインフォルダ画面４３Ａを表示する（Ｓ１１１）。例えば、ステップＳ１０９にてメール相手Ａとやり取りされたメールが格納されたフォルダのフォルダ名に、メール相手Ａのメールアドレス「ａ−ｓａｎ＠ｃｏ．ｊｐ」、メール相手Ｂとやり取りされたメールが格納されたフォルダのフォルダ名に、メール相手Ｂのメールアドレス「ｂ−ｓａｎ＠ｎｅ．ｊｐ」がそれぞれ設定される。そして、図５（Ｈ）に示すように、メインフォルダ画面４３Ａには、各々のフォルダ名が一時的に表示される。ユーザは、メインフォルダ画面４３Ａから所望のフォルダを選択することにより、所望のメール相手とやり取りされたメールのみを確認することができる。
【００３６】
一方で、メールの振り分けが順位振り分けで指示された場合（Ｓ１０３のＮｏ）は、主制御部２０は、やり取りされたメールが多い順に、メール相手を抽出する（Ｓ２０１）。この際、主制御部２０は、一時振分指定画面４５から「順位振り分け」が選択された場合に、件数指定が指示されたものと判断する。メール件数情報３０に基づいて、メールの件数が多い順（メール相手Ｂ、メール相手Ａ、メール相手Ｃの順）にメール相手が抽出される。この場合には、過去にやり取りされた件数が少ないメール相手とやり取りされたメール情報も表示される。なお、図７（Ａ）は、図５（Ｅ）と同様の一時振り分け指定画面４５を示す図である。
【００３７】
主制御部２０は、受信メールを、メール相手毎に、ステップＳ２０１にて抽出された順に一時的にフォルダに振り分ける（Ｓ２０３）。特定のメール情報が抽出されて一時フォルダに振り分けられることにより、メール群が生成される。このとき主制御部２０は、図７（Ｂ）に示すように、件数指定画面４６の上位レイヤに、処理中である旨が表示された表示欄４７を表示させることで、ユーザに対して振り分け処理を行っていることを通知する。
【００３８】
主制御部２０は、ステップＳ２０３における振り分け先のフォルダのフォルダ名を設定して、ディスプレイ１２の表示画面４０に受信ボックス画面４２Ａを表示する（Ｓ２０５）。例えば、ステップＳ２０３にて抽出された順に、メール相手Ｂとやり取りされたメールが格納されたフォルダのフォルダ名に、メール相手Ｂのメールアドレス「ｂ−ｓａｎ＠ｎｅ．ｊｐ」が、メール相手Ａとやり取りされたメールが格納されたフォルダのフォルダ名に、メール相手Ａのメールアドレス「ａ−ｓａｎ＠ｃｏ．ｊｐ」が、メール相手Ｃとやり取りされたメールが格納されたフォルダのフォルダ名に、メール相手Ｃのメールアドレス「ｃ−ｓａｎ＠ｃｏ．ｊｐ」が、それぞれ設定される。そして、図７（Ｃ）に示すように、受信ボックス画面４２Ａには、各々のフォルダ名が一時的に表示される。ユーザは、受信ボックス画面４２Ａから所望のフォルダを選択することにより、所望のメール相手とやり取りされたメールのみを確認することができる。
【００３９】
また、ステップＳ１０９、Ｓ２０３にてメールが一時的に振り分けられて、ステップＳ１１１、Ｓ２０５にて振り分け先のフォルダが表示された際、これらのメール相手毎にメールが振り分けられた一時的なフォルダにおいて、通常のフォルダと同等の操作を可能とする。すなわち、ユーザが操作キー１４、１５を介して、これらの一時的なフォルダに対して全件指定処理（確認や保護／保護解除＆削除／移動／複製等）を指示した場合、携帯電話機１は、これらの一時的なフォルダに対して、通常のフォルダと同様にこれらの全件指定処理を実行する。
【００４０】
このように携帯電話機１は、ユーザにより、過去にやり取りされたメール情報に対する一時振り分けが指示された場合に、所定件数以上のメールがやり取りされたメール相手に関して、メール相手毎にメール情報を抽出してメール群を生成して、それらのメール群を提示する。あるいは、携帯電話機１は、過去にやり取りされたメール情報に対する一時振り分けが指示された場合に、メール相手毎にメール情報を抽出してメール群を生成して、やり取りされたメール件数が多い順にそれらのメール群を提示する。これにより、ユーザは、所望のメール相手と過去にやり取りされたメール情報のみを閲覧したり、それらのメール情報に対して一括で特定の処理をさせたりすることができる。
【００４１】
メール一時振り分け機能は、ユーザが携帯電話機１を新たに購入して、古い携帯電話機に記憶されていたメール情報を新しい携帯電話機１に転送した場合など、メール情報の振り分けがされてない場面において有効に使用される。
【００４２】
次に、携帯電話機１が、特定のメール情報を表示している場面において、このメール一時振り分け処理を行う際の手順について、図８に示すフローチャート、図９に示す画面遷移図に基づいて説明する。
【００４３】
ユーザは、図９（Ａ）に示すように、ディスプレイ１２の表示画面４０にメインフォルダ画面４３が表示されているときに、操作キー１４、１５を介していずれかのメールが選択することで、携帯電話機１にこのメールのメール内容の表示を指示する。よって主制御部２０は、メール内容の表示が指示されたか否かを判断する（Ｓ３０１）。この際、主制御部２０は、メインフォルダ画面４３からいずれかのメールが選択されたことに基づいて、メール内容の表示が指示されたものと判断する。メール内容の表示が指示されていない場合（Ｓ３０１のＮｏ）は、主制御部２０はそのまま待機する。なお、図９（Ｂ）は、図５（Ｄ）と同様のメインフォルダ画面４４を示す図、図９（Ｃ）は、図５（Ｇ）と同様の表示欄４７を示す図である。
【００４４】
メール内容の表示が指示された場合（Ｓ３０１のＹｅｓ）は、主制御部２０は、ディスプレイ１２の表示画面４０にメール内容画面４８を表示する（Ｓ３０３）。図９（Ｄ）に示すように、メール内容画面４８には、メールの受信日、タイトル、メール相手、メール本文などのメール内容が表示される。ユーザは、このメール相手と過去にやり取りした受信メールを閲覧したいときに、メール内容画面４８からメール相手を選択する。
【００４５】
ユーザによりメール内容画面４８から例えばメール相手Ａが選択されると、主制御部２０はディスプレイ１２の表示画面４０に選択メニュー欄４９を表示させる。図９（Ｅ）に示すように、選択メニュー欄４９には、特定のメール相手とのメールを一時的にメインフォルダに振り分ける「一時振り分け」などのメニュー項目が表示されている。ユーザは、メインフォルダに格納されているメールのうち、特定のメール相手とやり取りしたメールを一時的にフォルダに振り分けたい場合に「一時振り分け」を選択する。
【００４６】
主制御部２０は、メールの一時振り分けが指示されたか否かを判断する（Ｓ３０５）。この際、主制御部２０は、例えば選択メニュー欄４９から「一時振り分け」が選択されたことに基づいて、メールの一時振り分けが指示されたものと判断する。メールの一時振り分けが指示されていない場合（Ｓ３０５のＮｏ）は、主制御部２０はメール一時振り分け処理を終了する。
【００４７】
メールの一時振り分けが指示された場合（Ｓ３０５のＹｅｓ）は、主制御部２０は、ステップＳ３０３にてメール内容を表示したメールのメール相手に関して、このメール相手と過去にやり取りされたメールを抽出する（Ｓ３０７）。例えばステップＳ３０３にてメール相手Ａからのメールを表示した場合には、過去にメール相手Ａから受信したメールが全て抽出される。
【００４８】
主制御部２０は、ステップＳ３０７にて抽出されたメール相手とやり取りされた受信メールを、一時的にメインフォルダに振り分ける（Ｓ３０９）。このとき主制御部２０は、図９（Ｆ）に示すように、選択メニュー画面４９の上位レイヤに、処理中である旨が表示された表示欄４７を表示させることで、ユーザに対して振り分け処理を行っていることを通知する。
【００４９】
主制御部２０は、ディスプレイ１２の表示画面４０にメインフォルダ画面４３Ｂを表示する（Ｓ３１１）。例えば、ステップＳ３０３にてメール相手Ａから受信したメールを表示した場合には、図９（Ｇ）に示すように、メインフォルダ画面４３Ｂには、メール相手Ａから受信したメールが一時的に表示される。
【００５０】
また、ステップＳ３０９にてメールが一時的に振り分けられて、ステップＳ３１１にて振り分け先のフォルダが表示された際、特定のメール相手とやり取りされたメール情報のみが振り分けられた一時的なフォルダにおいて、通常のフォルダと同等の操作を可能とする。すなわち、ユーザが操作キー１４、１５を介して、これらの一時的なフォルダに対して全件指定処理（確認や保護／保護解除＆削除／移動／複製等）を指示した場合、携帯電話機１は、これらの一時的なフォルダに対して、通常のフォルダと同様にこれらの全件指定処理を実行する。
【００５１】
このようにして携帯電話機１は、ユーザにより、そのとき表示中のメール情報のメール相手と過去にやり取りされたメール情報に対する一時振り分けが指示された場合に、そのメール相手と過去にやり取りされたメール情報を抽出してメール群を生成して、それらのメール情報を提示する。これにより、ユーザは、所望のメール相手と過去にやり取りされたメール情報のみを閲覧したり、それらのメール情報に対して一括で特定の処理をさせたりすることができる。
【００５２】
次に、携帯電話機１が、一時的にメールを振り分けている際に、この振り分けを登録するメール一時振り分け登録処理を行う際の手順について、図１０に示すフローチャート、図１１に示す画面遷移図に基づいて説明する。
【００５３】
主制御部２０は、図１１（Ａ）に示すように、ディスプレイ１２の表示画面４０に、一時的にメールが振り分けられたフォルダが表示された受信ボックス画面４２Ａを表示させているときに、操作キー１４、１５を介してフォルダが選択されると、受信ボックス画面４２Ａの上位レイヤにサブメニュー画面５０を表示させる。図１１（Ｂ）に示すように、サブメニュー画面５０には、一時的にメールが振り分けられたフォルダを、正規のフォルダとして登録する「振り分け確定」等のメニューが表示されている。
【００５４】
ユーザは、サブメニュー画面５０から「振り分け確定」を選択することにより、携帯電話機１にメールが振り分けられたフォルダを確定するように指示を出す。よって主制御部２０は、振り分け確定が指示されたか否かを判断する（Ｓ４０１）。この際、主制御部２０は、サブメニュー画面５０から「振り分け確定」が選択されたことに基づいて、振り分け確定が指示されたものと判断する。振り分け確定が指示されていない場合（Ｓ４０１のＮｏ）は、主制御部２０はそのまま待機する。
【００５５】
振り分け確定が指示された場合（Ｓ４０１のＹｅｓ）は、主制御部２０は、ディスプレイ１２の表示画面４０に振り分け登録画面５１を表示させる（Ｓ４０３）。図１１（Ｃ）に示すように、振り分け登録画面５１には、メールが一時的に振り分けられているフォルダを、既存のフォルダに正規に割り当てるための、登録（割り当て）先フォルダのリストが表示されている。ユーザは、振り分け登録画面５１から登録先とするフォルダを選択する。
【００５６】
主制御部２０は、ユーザにより登録先フォルダが選択されたか否かを判断する（Ｓ４０５）。この際、主制御部２０は、振り分け登録画面５１からフォルダが選択されたことに基づいて、登録先フォルダが選択されたものと判断する。登録先が選択されていない場合（Ｓ４０５のＮｏ）は、主制御部２０は登録先が選択されるまで待機する。
【００５７】
登録先が選択された場合（Ｓ４０５のＹｅｓ）は、主制御部２０は、振り分け確定が指示されたフォルダに一時的に振り分けられているメールを、ステップＳ４０５にて選択されたフォルダに移動させる（Ｓ４０７）。このとき、振り分けが確定される前に、図１１（Ｄ）に示すように、ディスプレイ１２の表示画面４０に、ユーザが確定内容を確認するための確認欄５２を表示させると良い。
【００５８】
主制御部２０は、ディスプレイ１２の表示画面４０に受信ボックス画面４２Ｂを表示する（Ｓ４０９）。例えば、一時的にメール相手Ａから受信したメールが振り分けられていて、これらのメールがステップＳ４０７にて「フォルダ４」のフォルダに移動された場合には、図１１（Ｅ）に示すように、受信ボックス画面４２Ｂには、メール相手Ａのメールアドレス「ａ−ｓａｎ＠ｃｏ．ｊｐ」が表示される。ユーザは、受信ボックス画面４２Ｂから「ａ−ｓａｎ＠ｃｏ．ｊｐ」のフォルダを選択することにより、メール相手Ａから受信したメールのみを閲覧することができる。
【００５９】
なお、ステップＳ４０１乃至Ｓ４０９の処理により登録先として確定されたフォルダ（例えば「ａ−ｓａｎ＠ｃｏ．ｊｐ」のフォルダ）は、一時的なフォルダではなく正規のフォルダとして扱われ、一旦メール機能が終了されて再びメール機能が起動された場合に、図１１（Ｆ）も示すように、通常のフォルダとして表示される。
【００６０】
このようにして携帯電話機１は、過去にやり取りされたメール情報を一時フォルダに振り分けている際、ユーザの指示に基づいて、この一時フォルダを正規のフォルダに割り当てて正規のフォルダとして登録することができる。これにより、ユーザは、携帯電話機１において特定のメールが振り分けられた一時フォルダを生成した際に、この一時フォルダが有効であると判断した場合などに、この一時フォルダを正規のフォルダとして登録することができる。
【００６１】
なお、ステップＳ１０９、Ｓ２０３、Ｓ３０９にてメールが一時的に振り分けられた際、ユーザは、この振り分けを解除したい場合に、所定の操作キー１４、１５を操作する。携帯電話機１は、所定の操作キー１４、１５の操作に基づいて、ディスプレイ１２の表示画面４０にサブメニュー画面５３を表示させる。図５（Ｉ）、図７（Ｄ）、図９（Ｈ）に示すように、サブメニュー画面５３には、振り分けを解除するための「振り分け解除」等のメニューが表示されている。ユーザがサブメニュー画面５３から「振り分け解除」を選択すると、携帯電話機１は、ステップＳ１０９、Ｓ２０３、Ｓ３０９にて振り分けられたメールを元のフォルダに戻して、振り分けを解除する。また、メール機能が終了された場合には、ステップＳ１０９、Ｓ２０３、Ｓ３０９におけるメールの一時的な振り分けが解除されるようにすると良い。
【００６２】
また、ステップＳ１０９、Ｓ２０３、Ｓ３０９にてメールが一時的に振り分けられて、ステップＳ１１１、Ｓ２０５、Ｓ３１１にて振り分け先のフォルダが表示された際、これらのメール相手毎にメールが振り分けられた一時的なフォルダにおいて、通常のフォルダと同等の操作を可能とする。すなわち、ユーザが操作キー１４、１５を介して、これらの一時的なフォルダに対して全件指定処理（確認や保護／保護解除＆削除／移動／複製等）を指示した場合、携帯電話機１は、これらの一時的なフォルダに対して、通常のフォルダと同様にこれらの全件指定処理を実行する。
【００６３】
本発明に係る携帯端末（携帯電話機１）によると、過去にやり取りされたメール情報のうち、特定のメール情報のみを一時的に取り出して、それらのメール情報のみに対して特定の処理を行うことが可能となる。また、本発明に係る携帯端末（携帯電話機１）によると、一時的に取り出された特定のメール情報を一括りにして、それぞれ関連付けてメール群として記憶することができる。
【００６４】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、携帯音楽プレイヤー、携帯ビデオカメラ、携帯ゲーム機等、メール機能を備えている通信端末であれば、任意の通信端末であっても良い。
【符号の説明】
【００６５】
１…携帯電話機，１０…上筐体，１１…下筐体，１２…ディスプレイ，１３…スピーカ，１４、１５…操作キー，１６…マイクロフォン，１７…サイドキー，２０…主制御部，２１…電源回路部，２２…操作入力制御部，２３…表示制御部，２４…音声制御部，２５…通信制御部，２５ａ…アンテナ，２６…記憶部，３０…メール件数情報，３１…メール相手情報，３２…件数情報，４０…表示画面，４１…メールメニュー画面，４２、４２Ａ、４２Ｂ…受信ボックス画面，４３、４３Ａ…メインフォルダ画面，４４、５０、５３…サブメニュー画面，４５…一時振分指定画面，４６…件数指定画面，４６ａ…件数入力欄，４７…表示欄，４８…メール内容画面，４９…選択メニュー画面，５１…振り分け登録画面，５２…確認欄。
【図１】
2010176395.tif 000003
【図２】
2010176395.tif 000004
【図３】
2010176395.tif 000005
【図４】
2010176395.tif 000006
【図５】
2010176395.tif 000007
【図６】
2010176395.tif 000008
【図７】
2010176395.tif 000009
【図８】
2010176395.tif 000010
【図９】
2010176395.tif 000011
【図１０】
2010176395.tif 000012
【図１１】
2010176395.tif 000013